(57)【要約】【課題】組み立てが容易であると共に、外部からの負荷に対しても耐久性を十分に保証し得る構造の両面接続用コネクタを提供すること。【解決手段】この両面接続用コネクタ１０の場合、各両端接続用コンタクト１の形状を工夫し、部分的に持たせた当接部としての凸部１ａにおける一端面側がフレーム２（各コンタクト１の列設方向と垂直な面方向での断面形状が略Ｌ字形として形成されている）にあっての一方の面側の長穴開口部２ａ（フレーム２にあっての各コンタクト１に対する収容部２ｂに繋がるように幅狭に形成されるもので、長穴開口部２ａ及び収容部２ｂは何れも列設方向に延在する）近傍の周縁部分に位置される局部に当接され、且つ他端面側の開放端部分がフレーム２にあっての他方の面側の収容部２ｂ近傍の周縁壁部分との間で支持固定部材であるテープ５の接着面での接着により一体的に固定保持される構造となっている。【選択図】図１
2007149569.tif 000002
【特許請求の範囲】
【請求項１】
フレームに対して所定の間隔で列設されるように装着固定された複数の両端接続用コンタクトにおける該フレームの両面から突出する電極端子部がそれぞれ接続対象物との接続に供されると共に、該複数の両端接続用コンタクトがそれぞれ柔軟性を持つ絶縁材料の本体表面に対して導電性膜を所定のパターンで設けることにより該電極端子部を形成して成る構造の両面接続用コネクタにおいて、前記複数の両端接続用コンタクトは、前記フレームの一方の面側の局部に当接される当接部を含み、前記フレームは、前記複数の両端接続用コンタクトを装着するための前記列設方向に延在する幅広な収容部が形成されると共に、一方の面側において前記当接部との当接に供される前記局部近傍で該収容部に繋がって前記列設方向に延在する幅狭な長穴開口部が形成されて成り、更に、前記複数の両端接続用コンタクトは、前記収容部に対する収容時に前記当接部における一端面側が前記フレームにあっての一方の面側の前記長穴開口部近傍の周縁部分に位置される前記局部に当接された状態で他端面側の開放端部分が該フレームにあっての他方の面側の前記収容部近傍の周縁壁部分との間で支持固定部材により一体的に固定保持されることを特徴とする両面接続用コネクタ。
【請求項２】
請求項１記載の両面接続用コネクタにおいて、前記フレームは、前記列設方向と垂直な面方向での断面形状が略Ｌ字形として形成され、前記複数の両端接続用コンタクトは、前記列設方向と垂直な面方向での断面形状が前記当接部としての凸部を含む略Ｔ字形であると共に、前記収容部に対する収容時に該凸部における一端面側が前記フレームにあっての一方の面側の前記長穴開口部近傍の周縁壁部分に当接された状態で他端面側の開放端部分が該フレームにあっての他方の面側の前記収容部近傍の周縁壁部分との間で前記支持固定部材により一体的に固定保持されることを特徴とする両面接続用コネクタ。
【請求項３】
請求項２記載の両面接続用コネクタにおいて、前記複数の両端接続用コンタクトは、所定数のものにあっての前記凸部をそれぞれ貫通するように設けた支柱骨の両端を前記フレームにおける前記列設方向での前記収容部両端近傍の周縁壁部分の所定箇所に装着固定することにより列設されることを特徴とする両面接続用コネクタ。
【請求項４】
請求項１記載の両面接続用コネクタにおいて、前記フレームは、前記列設方向と垂直な面方向での断面形状が略コ字形として形成されると共に、一方の面側において前記長穴開口部が前記局部としての仕切片を挟んで該列設方向に平行して延在し、且つ前記収容部に繋がるように形成されて成り、前記複数の両端接続用コンタクトは、前記列設方向と垂直な面方向での断面形状が前記当接部としての結合腕部を含む略Ｈ字形であると共に、前記収容部に対する収容時に該結合腕部における一端面側が前記フレームにあっての一方の面側の前記平行する長穴開口部間の前記仕切片に当接された状態で他端面側の開放端部分が該フレームにあっての他方の面側の前記列設方向における前記収容部近傍の周縁壁部分との間で支持固定部材により固定保持されることを特徴とする両面接続用コネクタ。
【請求項５】
請求項４記載の両面接続用コネクタにおいて、前記複数の両端接続用コンタクトは、所定数のものにあっての前記結合腕部をそれぞれ貫通するように設けた支柱骨の両端を前記フレームにおける前記列設方向での前記収容部両端近傍の周縁壁部分の所定箇所に装着固定することにより列設されることを特徴とする両面接続用コネクタ。
【発明の詳細な説明】
【技術分野】
【０００１】
本発明は、主としてフレームに対して所定の間隔で列設されるように装着固定された複数の両端接続用コンタクトにおけるフレームの両面から突出した電極端子部がそれぞれ小型印刷回路基板，ＩＣチップ等の接続対象物との接続に供される構造の両面接続用コネクタに関する。
【背景技術】
【０００２】
従来、この種の両面接続用コネクタとしては、例えば端子部を枠に圧入手段によって簡便に固定することができ、応力−歪特性が良好で端子部の一部が破損しても破損した一部のみの修繕が容易な構造のもの（特許文献１参照）等が挙げられる。
【０００３】
【特許文献１】特開２００５−２２８５０４号公報（要約）
【発明の開示】
【発明が解決しようとする課題】
【０００４】
上述した特許文献１に係る両面接続用コネクタの場合、各端子部（両端接続用コンタクト）をフレームに装着固定するときには、各端子部として、列設方向と垂直な面方向での断面形状が略カマボコ状であると共に、突起（ダボ）を有する構造のものをフレームの長穴開口部（溝）に組み込んでいるが、このときに溝の幅よりも突起の幅の方が大きくて大きな摩擦力を生じる条件下で無理やり押し込んで圧入する作業を要するために大変組み込み難く、組み立てを容易に行うことができないという問題がある他、構造上において各端子部がフレームに対して圧入保持されただけの状態であるため、例えば搬送時のように外部から振動や衝撃が加えられたときにフレームに対して各端子部が位置ずれを生じたり、或いは極端な場合には外れてしまう危険性があることにより、外部からの負荷に対して耐久性が十分に保証されていないという問題がある。
【０００５】
本発明は、このような問題点を解決すべくなされたもので、その技術的課題は、組み立てが容易であると共に、外部からの負荷に対しても各端子部が位置ずれしたり、外れることなく耐久性を十分に保証し得る構造の両面接続用コネクタを提供することにある。
【課題を解決するための手段】
【０００６】
本発明によれば、フレームに対して所定の間隔で列設されるように装着固定された複数の両端接続用コンタクトにおける該フレームの両面から突出する電極端子部がそれぞれ接続対象物との接続に供されると共に、該複数の両端接続用コンタクトがそれぞれ柔軟性を持つ絶縁材料の本体表面に対して導電性膜を所定のパターンで設けることにより該電極端子部を形成して成る構造の両面接続用コネクタにおいて、複数の両端接続用コンタクトは、フレームの一方の面側の局部に当接される当接部を含み、フレームは、複数の両端接続用コンタクトを装着するための列設方向に延在する幅広な収容部が形成されると共に、一方の面側において当接部との当接に供される局部近傍で該収容部に繋がって該列設方向に延在する幅狭な長穴開口部が形成されて成り、更に、複数の両端接続用コンタクトは、収容部に対する収容時に当接部における一端面側がフレームにあっての一方の面側の長穴開口部近傍の周縁部分に位置される局部に当接された状態で他端面側の開放端部分が該フレームにあっての他方の面側の収容部近傍の周縁壁部分との間で支持固定部材により一体的に固定保持される両面接続用コネクタが得られる。
【０００７】
一方、本発明によれば、上記両面接続用コネクタにおいて、フレームは、列設方向と垂直な面方向での断面形状が略Ｌ字形として形成され、複数の両端接続用コンタクトは、列設方向と垂直な面方向での断面形状が当接部としての凸部を含む略Ｔ字形であると共に、収容部に対する収容時に該凸部における一端面側がフレームにあっての一方の面側の長穴開口部近傍の周縁壁部分に当接された状態で他端面側の開放端部分が該フレームにあっての他方の面側の収容部近傍の周縁壁部分との間で支持固定部材により一体的に固定保持される両面接続用コネクタが得られる。
【０００８】
この両面接続用コネクタにおいて、複数の両端接続用コンタクトは、所定数のものにあっての凸部をそれぞれ貫通するように設けた支柱骨の両端をフレームにおける列設方向での収容部両端近傍の周縁壁部分の所定箇所に装着固定することにより列設されることは好ましい。
【０００９】
他方、本発明によれば、上記両面接続用コネクタにおいて、フレームは、列設方向と垂直な面方向での断面形状が略コ字形として形成されると共に、一方の面側において長穴開口部が局部としての仕切片を挟んで該列設方向に平行して延在し、且つ収容部に繋がるように形成されて成り、複数の両端接続用コンタクトは、列設方向と垂直な面方向での断面形状が当接部としての結合腕部を含む略Ｈ字形であると共に、収容部に対する収容時に該結合腕部における一端面側がフレームにあっての一方の面側の平行する長穴開口部間の仕切片に当接された状態で他端面側の開放端部分が該フレームにあっての他方の面側の列設方向における収容部近傍の周縁壁部分との間で支持固定部材により固定保持される両面接続用コネクタが得られる。
【００１０】
この両面接続用コネクタにおいて、複数の両端接続用コンタクトは、所定数のものにあっての結合腕部をそれぞれ貫通するように設けた支柱骨の両端をフレームにおける列設方向での収容部両端近傍の周縁壁部分の所定箇所に装着固定することにより列設されることは好ましい。
【発明の効果】
【００１１】
本発明の両面接続用コネクタの場合、組み立てが容易になると共に、搬送時のように外部から振動や衝撃による負荷に対しても各端子部が位置ずれしたり、外れることが防止され、結果として耐久性を十分に保証し得るようになる。
【発明を実施するための最良の形態】
【００１２】
本発明の最良の形態に係る両面接続用コネクタは、フレームに対して所定の間隔で列設されるように装着固定された複数の両端接続用コンタクトにおけるフレームの両面から突出する電極端子部がそれぞれ接続対象物との接続に供されると共に、各両端接続用コンタクトがそれぞれ柔軟性を持つ絶縁材料の本体表面に対して導電性膜を所定のパターンで設けることにより電極端子部を形成して成る構造のものにおいて、各両端接続用コンタクトについては、フレームの一方の面側の局部に当接される当接部を含むものとし、フレームについては、各両端接続用コンタクトを装着するための列設方向に延在する幅広な収容部が形成されると共に、一方の面側において当接部との当接に供される局部近傍で収容部に繋がって列設方向に延在する幅狭な長穴開口部が形成されて成るものとし、更に、各両端接続用コンタクトについては、収容部に対する収容時に当接部における一端面側がフレームにあっての一方の面側の長穴開口部近傍の周縁部分に位置される局部に当接された状態で他端面側の開放端部分がフレームにあっての他方の面側の収容部近傍の周縁壁部分との間で支持固定部材により一体的に固定保持される構造のものである。
【００１３】
以下は、具体的な幾つかの実施例を挙げ、本発明の両面接続用コネクタについて、より詳細に説明する。
【実施例１】
【００１４】
図１は、本発明の実施例１に係る両面接続用コネクタの要部構成を各両端接続用コンタクト１のフレーム２に対する組み込み状態の推移に応じて列設方向と垂直な面方向で断面にして連続的に繋げて示した部分拡大図である。又、図２はこの両面接続用コネクタに備えられるフレーム２の外観構成を示した斜視図であり、図３はこの両面接続用コネクタ１０の全体における外観構成を示した斜視図である。
【００１５】
各図を参照すれば、この両面接続用コネクタ１０は、基本構造からみれば特許文献１の場合と同様に、フレーム２に対して所定の間隔で列設されるように装着固定された複数の両端接続用コンタクト１におけるフレーム２の両面から突出する電極端子部３がそれぞれ小型印刷回路基板，ＩＣチップ等の接続対象物との接続に供されると共に、各両端接続用コンタクト１がそれぞれ柔軟性を持つ絶縁材料の本体表面に対して導電性膜を所定のパターンで設けることにより電極端子部３を形成して成る構造となっている。
【００１６】
但し、ここでのフレーム２については、基本構造として、各両端接続用コンタクト１を装着するための列設方向に延在する収容部２ｂが形成されると共に、一方の面側において収容部２ｂに繋がって列設方向に延在する長穴開口部２ａが形成されて成る他、各両端接続用コンタクト１の列設方向と垂直な面方向での断面形状が略Ｌ字形として形成されている。図１及び図２を参照して具体的に説明すれば、ここでのフレーム２の場合、長穴開口部２ａが一方の面側で露呈されるように、各両端接続用コンタクト１の列設方向（フレーム２の長手方向）に延在して幅狭なものとして互いに平行して隔たるように一組で形成され、他方の面側で各長穴開口部２ａに繋がる収容部２ｂが同様に列設方向に延在して幅広なものとして互いに平行して隔たるように一組で形成されて成っている。
【００１７】
又、各両端接続用コンタクト１については、その列設方向と垂直な面方向での断面形状がフレーム２の一方の面側の局部に当接される当接部としての凸部１ａを含む略Ｔ字形となっており、収容部２ｂに対する収容時に凸部１ａにおける一端面側がフレーム２にあっての一方の面側の長穴開口部２ａ近傍の周縁壁部分に当接された状態で他端面側の開放端部分がフレーム２にあっての他方の面側の収容部２ｂ近傍の周縁壁部分との間で支持固定部材により一体的に固定保持されるようになっている。尚、ここでの支持固定部材には、一方の面側を粘着面とするテープ５を用い、各両端接続用コンタクト１の収容部２ｂに対する収容後に粘着面により凸部１ａにおける他端面側の開放端部分とフレーム２にあっての収容部２ｂ近傍の周縁壁部分とを固定保持するものとする。
【００１８】
更に、各両端接続用コンタクト１については、その柔軟性に対して機械的強度を補強するための部材として、所定数のものにあっての凸部１ａをそれぞれ貫通するように設けた金属製の支柱骨４の両端をフレーム２における列設方向での収容部２ｂ両端近傍の周縁壁部分の所定箇所に設けられた溝（略図する）に対して装着固定することにより列設されるようになっている。
【００１９】
以下は、この実施例１に係る両面接続用コネクタ１０を組み立てる場合を図１を参照して説明する。
【００２０】
先ず、フレーム２の他方の面側に設けられた収容部２ｂに対して図１中の右側に示されるように、略Ｔ字形の各両端接続用コンタクト１を凸部１ａの対向する端面と長尺寸法部分の対向する端面とが鉛直方向に向く配置として長尺寸法部分における一方の突出した端面側を白抜き矢印で示される上方向に向かうように収容部２ｂ内へ挿入し、引き続いて図１中の中央に示されるように、凸部１ａにおける一端面側がフレーム２にあっての一方の面側の長穴開口部２ａ近傍の周縁壁部分に当接され、且つ長尺寸法部分における一方の突出した端面側が長穴開口部２ａを通ってフレーム２の一方の面側の外方に露呈されて突出する装着状態位置とする。因みに、この装着状態では同時に各両端接続用コンタクト１における凸部１ａをそれぞれ貫通した列設方向に延在する棒状の支柱骨４の両端がフレーム２における列設方向で収容部２ｂ両端近傍の周縁壁部分の所定箇所に設けられた溝（略図する）に圧入固定されるため、機械的な強度については或る程度確保されるようになっている。
【００２１】
次に、この装着状態にあって、テープ５の粘着面側を凸部１ａの他端面側の開放端部分とフレーム２にあっての収容部２ｂ近傍の周縁壁部分とに対して白抜き矢印で示される上方向に向かうように接近させ、図１中の左側に示されるように、凸部１ａの他端面側の開放端部分とフレーム２にあっての収容部２ｂ近傍の周縁壁部分（図１中ではＬ字形の長尺寸法部分における頂部が該当する）とをテープ５の粘着面で接着して一体的に固定保持する。この結果、各両端接続用コンタクト１は、テープ５の貼り付けにより一層フレーム２に対して安定して固定される（テープ５により支柱骨４の両端を装着した溝部分を覆うようにすれば一層効果的となる）ため、外部から振動や衝撃による負荷に対しても位置ずれしたり、外れることが防止される。
【００２２】
要するに、この実施例１に係る両面接続用コネクタ１０の場合、図２に示されるようなフレーム２に対し、その一方の面側で露呈される平行する２列分の幅狭な長穴開口部２ａとは反対側の他方の面側で同様に露呈される平行する２列分の幅広な収容部２ｂに対し、支柱骨４により機械的強度の補強を図った所定数の各両端接続用コンタクト１を列設したものをそれぞれ組み付けて各凸部１ａの一端面側をフレーム２にあっての一方の面側の長穴開口部２ａ近傍の周縁壁部分に当接させて装着状態とした後、他方の面側で凸部１ａの他端面側の開放端部分と収容部２ｂ近傍の周縁壁部分とをそれぞれテープ５の粘着面で接合して一体的に固定保持することにより、図３に示されるような外観構成として組み立て仕上げを行うことができるため、組み立てが容易なものとなっている。
【実施例２】
【００２３】
図４は、本発明の実施例２に係る両面接続用コネクタの要部構成を各両端接続用コンタクト１′のフレーム２′に対する組み込み状態の推移に応じて列設方向と垂直な面方向で断面にして連続的に繋げて示した部分拡大図である。又、図５はこの両面接続用コネクタに備えられるフレーム２′の外観構成を示した斜視図であり、図６はこの両面接続用コネクタ１０′の全体における外観構成を示した斜視図である。
【００２４】
各図を参照すれば、ここでの両面接続用コネクタ１０′についても、基本構造からみれば特許文献１の場合と同様に、フレーム２′に対して所定の間隔で列設されるように装着固定された複数の両端接続用コンタクト１′におけるフレーム２′の両面から突出する電極端子部３′がそれぞれ小型印刷回路基板，ＩＣチップ等の接続対象物との接続に供されると共に、各両端接続用コンタクト１′がそれぞれ柔軟性を持つ絶縁材料の本体表面に対して導電性膜を所定のパターンで設けることにより電極端子部３′を形成して成る構造となっている。
【００２５】
但し、ここでのフレーム２′については、基本構造として、一方の面側において長穴開口部２ａ′が局部としての仕切片２ｃを挟んで列設方向に平行して延在し、且つ収容部２ｂ′に繋がるように形成されると共に、列設方向と垂直な面方向での断面形状が略コ字形として形成されている。図４及び図５を参照して具体的に説明すれば、ここでのフレーム２′の場合、長穴開口部２ａ′が一方の面側で露呈されるように、各両端接続用コンタクト１′の列設方向（フレーム２′の長手方向）に延在して幅狭なものとして仕切片２ｃを挟んで対向する一対のものが互いに平行して隔たるように一組で形成（一対一組による総数４となる）され、他方の面側で一対の長穴開口部２ａ′に繋がる収容部２ｂ′が同様に列設方向に延在して幅広なものとして互いに平行して隔たるように一組で形成（一組のみによる総計２つとなる）されて成っている。
【００２６】
又、各両端接続用コンタクト１′については、その列設方向と垂直な面方向での断面形状が当接部としての結合腕部１ａ′を含む略Ｈ字形であると共に、収容部２ｂ′に対する収容時に結合腕部１ａ′における一端面側がフレーム２′にあっての一方の面側の平行する長穴開口部２ａ′間の仕切片２ｃに当接された状態で他端面側の開放端部分がフレーム２′にあっての他方の面側の列設方向における収容部２ｂ′近傍の周縁壁部分との間で支持固定部材により一体的に固定保持されるようになっている。尚、ここでの支持固定部材についても、一方の面側を粘着面とするテープ５′を用い、各両端接続用コンタクト１′の収容部２ｂ′に対する収容後に粘着面により結合腕部１ａ′における他端面側の開放端部分とフレーム２′にあっての列設方向での収容部２ｂ′両端近傍の周縁壁部分とを固定保持するものとする。
【００２７】
更に、ここでの各両端接続用コンタクト１′についても、その柔軟性に対して機械的強度を補強するための部材として、所定数のものにあっての結合腕部１ａ′をそれぞれ貫通するように設けた金属製の支柱骨４′の両端をフレーム２′における一方向での収容部２ｂ′両端近傍の周縁壁部分の所定箇所に設けられた溝（略図する）に対して装着固定することにより列設されるようになっている。
【００２８】
以下は、この実施例２に係る両面接続用コネクタ１０′を組み立てる場合を図４を参照して説明する。
【００２９】
先ずフレーム２′の他方の面側に設けられた収容部２ｂ′に対して図４中の右側に示されるように、略Ｈ字形の各両端接続用コンタクト１′を結合腕部１ａ′の対向する端面と対向する高背寸法部分の端面とが鉛直方向に向かう配置として高背寸法部分における一方の突出した端面側を白抜き矢印で示される上方向に向かうように収容部２ｂ′内へ挿入し、引き続いて図４中の中央に示されるように、結合腕部１ａ′における一端面側がフレーム２′にあっての一方の面側の平行する長穴開口部２ａ′間に位置される仕切片２ｃに当接され、且つ高背寸法部分における一方の突出した端面側が長穴開口部２ａ′を通ってフレーム２′の一方の面側の外方に露呈されて突出する装着状態位置とする。因みに、この装着状態においても、同時に各両端接続用コンタクト１′における結合腕部１ａ′をそれぞれ貫通した列設方向に延在する棒状の支柱骨４′の両端がフレーム２′における列設方向で収容部２ｂ′両端近傍の周縁壁部分の所定箇所に設けられた溝（略図する）に圧入固定されるため、機械的な強度については或る程度確保されるようになっている。
【００３０】
次に、この装着状態にあって、テープ５′の粘着面側を結合腕部１ａ′の他端面側の開放端部分とフレーム２′にあっての列設方向での収容部２ｂ′両端近傍の周縁壁部分とに対して白抜き矢印で示される上方向に向かうように接近させ、図４中の左側に示されるように、結合腕部１ａ′の他端面側の開放端部分とフレーム２′にあっての列設方向での収容部２ｂ′両端近傍の周縁壁部分（図示されない）とをテープ５′の粘着面で接合して一体的に固定保持する。この結果、各両端接続用コンタクト１′は、テープ５′の貼り付けにより一層フレーム２′に対して安定して固定される（テープ５′により支柱骨４′の両端を装着した溝部分を覆うようにすれば一層効果的となる）ため、外部から振動や衝撃による負荷に対しても位置ずれしたり、外れることが防止される。
【００３１】
要するに、この実施例２に係る両面接続用コネクタ１０′の場合においても、図５に示されるようなフレーム２′に対し、その一方の面側で露呈される一対一組で平行する４列分の長穴開口部２ａ′とは反対側の他方の面側で同様に露呈される平行する２列分の収容部２ｂ′（一対の対向して設けられた長穴開口部２ａ′に１列分が繋がっている）に対し、支柱骨４′により機械的強度の補強を図った所定数の各両端接続用コンタクト１′を列設したものをそれぞれ組み付けて各結合腕部１ａ′の一端面側を仕切片２ｃに当接させて装着状態とした後、他方の面側で結合腕部１ａ′の他端面側の開放端部分と収容部２ｂ′両端近傍の周縁壁部分とをそれぞれテープ５′の粘着面で接合して一体的に固定保持することにより、図６に示されるような外観構成として組み立て仕上げを行うことができるため、ここでも実施例１の場合と同様に組み立てが容易なものとなっている。
【００３２】
尚、上述した実施例１，実施例２では、テープ５，５′において粘着剤で貼り付けた場合を説明したが、接着剤で接着するようにしても良い。
【図面の簡単な説明】
【００３３】
【図１】本発明の実施例１に係る両面接続用コネクタの要部構成を各両端接続用コンタクトのフレームに対する組み込み状態の推移に応じて列設方向と垂直な面方向で断面にして連続的に繋げて示した部分拡大図である。
【図２】図１に示す両面接続用コネクタに備えられるフレームの外観構成を示した斜視図である。
【図３】図１に示す両面接続用コネクタの全体における外観構成を示した斜視図である。
【図４】本発明の実施例２に係る両面接続用コネクタの要部構成を各両端接続用コンタクトのフレームに対する組み込み状態の推移に応じて列設方向と垂直な面方向で断面にして連続的に繋げて示した部分拡大図である。
【図５】図４に示す両面接続用コネクタに備えられるフレームの外観構成を示した斜視図である。
【図６】図４に示す両面接続用コネクタの全体における外観構成を示した斜視図である。
【符号の説明】
【００３４】
１，１′  両端接続用コンタクト
１ａ  凸部
１ａ′  結合腕部
２，２′  フレーム
２ａ，２ａ′  長穴開口部
２ｂ，２ｂ′  収容部
２ｃ  仕切片
３，３′  電極端子部
４，４′  支柱骨
５，５′  テープ
１０，１０′  両面接続用コネクタ
【図１】
2007149569.tif 000003
【図２】
2007149569.tif 000004
【図３】
2007149569.tif 000005
【図４】
2007149569.tif 000006
【図５】
2007149569.tif 000007
【図６】
2007149569.tif 000008